(57)【要約】【課題】  本発明は、同一平面内に走査電極と維持電極とを設けたプラズマディスプレイパネルに関し、画質妨害を防止して、パネルの輝度を向上させることのできるプラズマディスプレイパネルを提供することを課題とする。【解決手段】  表示電極８７を有した前面基板８５と、表示電極９７及びアドレス電極１０６を有した中間基板９５と、アドレス電極７７を有した背面基板７５とを備え、前面基板８５には、表示電極８７が形成された電極形成領域部分Ｈと、中間基板９５には、表示電極８７が形成されていない電極非形成領域部分Ｉとを走査方向に対して交互に設け、表示電極９７を電極非形成領域部分Ｉに対向するよう設けた構成とする。【選択図】  図５
2006196288.tif 000002
【特許請求の範囲】
【請求項１】
第１の表示電極が形成された電極形成部分と、前記第１の表示電極が形成されていない電極非形成領域部分とを有する前面基板と、
前記前面基板に対向し、第１のアドレス電極を有する背面基板とを備えたプラズマディスプレイパネルにおいて、
前記前面基板と背面基板との間に、前記前面基板と対向する面に形成された第２のアドレス電極と、前記背面基板と対向する面に第２の表示電極が形成された電極形成領域部分と、前記第２の表示電極が形成されていない電極非形成領域部分とを有する中間基板を設け、
前記中間基板の電極形成領域部分と該電極形成領域部分と対向する中間基板との間に第１の放電空間と、前記中間基板の電極形成領域部分と該電極形成領域部分と対向する背面基板との間に第２の放電空間とを形成すると共に、
前記前面基板の電極形成領域部分は前記前面基板の電極非形成領域部分に相対させ、前記中間基板の電極非形成領域部分は前記前面基板の電極形成領域部分に相対させたことを特徴とするプラズマディスプレイパネル。
【請求項２】
前記第１の表示電極及び第２の表示電極は、それぞれ走査電極と維持電極とを有し、画素ラインの走査方向と直交する方向に延伸された複数の電極であり、
前記第１及び第２のアドレス電極は、前記画素ラインの走査方向に延伸された複数の帯状の電極であって、
前記前面板における電極形成領域部分と電極非形成領域部分とを前記画素ラインの走査方向に交互に設けたことを特徴とする請求項１に記載のプラズマディスプレイパネル。
【請求項３】
前記第１及び第２の表示電極は、それぞれ走査電極と維持電極とを有し、前記画素ライン上に島状に形成された電極であり、
前記第１及び第２のアドレス電極は、前記画素ラインの走査方向に延伸された複数の帯状の電極であって、
前記前面板における電極形成領域部分と電極非形成領域部分とを前記画素ラインの走査方向と直交する方向に交互に設けたことを特徴とする請求項１に記載のプラズマディスプレイパネル。
【請求項４】
前記プラズマディスプレイパネルは画像が表示される表示面を有しており、
前記前面基板の第１の表示電極の引き出し線、及び前記中間基板の第２の表示電極の引き出し線は、前記表示面の前記画素ラインの走査ラインと直交する方向の相異なる方向から引き出され、
前記背面基板の第１のアドレス電極の引き出し線、及び前記中間基板の第２のアドレス電極の引き出し線は、前記表示面の前記画素ラインの走査方向の相異なる方向から引き出されていることを特徴とする請求項１乃至３のいずれか１項に記載のプラズマディスプレイパネル。
【請求項５】
前記プラズマディスプレイパネルは画像が表示される表示面を有しており、
前記画素ラインの走査方向と直交する方向において、前記前面基板の長さは前記中間基板の長さより大きく、前記中間基板の長さは前記背面基板の長さより大きく、
前記画素ラインの走査方向において、前記背面基板の長さは前記中間基板の長さより大きく、前記中間基板の長さは前記前面基板の長さより大きく、
前記前面基板の第１の表示電極の引き出し線と前記中間基板の第２の表示電極の引き出し線は、前記画素ラインの走査方向と直交する走査方向において、それぞれ前記表示面の両側に引き出され、
前記背面基板の第１のアドレス電極の引き出し線と前記中間基板の第２のアドレス電極の引き出し線は、前記画素ラインの走査方向において、それぞれ前記表示面の両側に引き出されていることを特徴とする請求項１乃至３のいずれか１項に記載のプラズマディスプレイパネル。
【請求項６】
前記第１の放電空間におけるアドレス放電と前記第２の放電空間におけるアドレス放電とは、画素ライン単位で同時に行われることを特徴とする請求項１乃至３のいずれか１項に記載のプラズマディスプレイパネル。
【請求項７】
前記第１の放電空間における維持放電のための前記走査電極と維持電極間のパルス電圧と、前記第２の放電空間における維持放電のための前記走査電極と維持電極間のパルス電圧とを異なる駆動波形設定で印加することを特徴とする請求項２または３に記載のプラズマディスプレイ。
【請求項８】
前記第１の放電空間におけるアドレス放電のための前記第２のアドレス電極に印加するパルス電圧と、前記第２の放電空間におけるアドレス放電のための前記第１のアドレス電極に印加するパルス電圧とを、異なる駆動波形設定とすることを特徴とする請求項１乃至３のいずれか１項に記載のプラズマディスプレイパネル。
【発明の詳細な説明】
【技術分野】
【０００１】
本発明は、プラズマディスプレイパネルに係り、特に、同一平面内に走査電極と維持電極とを設けたプラズマディスプレイパネルに関する。
【背景技術】
【０００２】
プラズマディスプレイパネル（Ｐｌａｓｍａ  Ｄｉｓｐｌａｙ  Ｐａｎｅｌ、以下、ＰＤＰと称する）は、大画面化が容易なこと、表示品質がよいこと、また、液晶ディスプレイと比べた場合に視野角が広いなどの特長があり、薄型化が可能なことから例えば壁掛け型ディスプレイなどの大型表示装置として用いられるようになってきている。
【０００３】
ＰＤＰは、前面基板と背面基板との間に形成された放電空間に、希ガス又は希ガスの混合ガスを封入し、前面基板及び背面基板に設けられた表示電極及びアドレス電極に電圧を印加し、放電を発生させて、その際に生じる封入ガスの可視励起発光、若しくは励起紫外線により蛍光体を励起させて可視発光を得る平面型表示装置である。
【０００４】
このようなＰＤＰの走査方式には、１回の画面表示を１回の走査で行う順次走査方式と、奇数段目の走査と偶数段目の走査との２回の走査により１回の画面表示を行うインタレース走査方式とがある。
【０００５】
次に、順次走査方式を適用した従来のＰＤＰについて説明する。図１は、順次走査方式を適用した従来技術のＰＤＰの斜視図であり、図２は、図１に示したＰＤＰの平面図である。また図３は、順次走査方式を適用した他の従来技術のＰＤＰの分解斜視図である。なお、図１乃至図３において、Ｙ，Ｙ方向は、画素ラインの走査方向（アドレス電極１３の延伸方向，以下、「走査方向」という）を示しており、Ｘ，Ｘ方向は、走査方向に対して直交する水平方向（以下、「水平方向」という）を示している。
【０００６】
図１乃至図２に示すように、ＰＤＰ１０は、大略すると背面基板１１と、前面基板１９とを有した構成とされている。背面基板１１は、ガラス基板１２と、アドレス電極１３と、誘電体層１４と、隔壁１５と、蛍光体１６とにより構成されている。ガラス基板１２上には、走査方向に延伸する複数のアドレス電極１３が設けられている。誘電体層１４は、アドレス電極１３とガラス基板１２とを覆うよう形成されている。誘電体層１４上には、複数のアドレス電極１３を一本毎に分離する間隔で複数の隔壁１５が設けられている。蛍光体１６は、隔壁１５の側面と誘電体層１４との間に亘って形成されている。
【０００７】
前面基板１９は、ガラス基板２１と、表示電極２２と、電極母線２３と、誘電体層２５と、保護膜２６とにより構成されている。ガラス基板２１の背面基板１１と対向する面には、水平方向に延伸する表示電極２２が設けられている。透明な電極である表示電極２２は、走査電極２２Ａと維持電極２２Ｂとが対になった構成とされている。
【０００８】
走査電極２２Ａ及び維持電極２２Ｂには、それぞれ電極母線２３が形成されている。電極母線２３は、抵抗値を下げるためのものであり、一般的に低抵抗な金属材料が用いられる。誘電体層２５は、表示電極２２、電極母線２３、及びガラス基板２１を覆うように形成されている。保護膜２６は、誘電体層２５を覆うように形成されている。背面基板１１と前面基板１９との間には、放電空間１７が設けられており、放電空間１７には、希ガス又は希ガスの混合ガスからなるガスが封入されている。
【０００９】
このようなＰＤＰ１０は、隣接する放電領域が干渉することを防ぐため、蛍光体１６が発光する発光領域２７間には、隣り合う発光領域２７を分離するための非発光領域２８が形成されている。発光領域２７と非発光領域２８とは、走査方向に対して、交互に存在するよう構成されている。ＰＤＰ１０に画像を表示させる際には、走査方向に一行ずつ発光領域２７を発光させることで、画像が表示される（例えば、非特許文献１参照。）。
【００１０】
次に、図３を参照して、順次走査方式を適用した他の従来技術であるＰＤＰ３０について説明する。ＰＤＰ３０は、大略すると背面基板３１と、前面基板４１とを有した構成とされている。背面基板３１は、ガラス基板３２と、アドレス電極３３と、誘電体層３４と、隔壁３５と、蛍光体３６とにより構成されている。隔壁３５は、水平方向と走査方向とに対してそれぞれ設けられている。水平方向に延伸する一対の隔壁３５により、誘電体層３４上には、蛍光体３６が形成されていない非形成領域３７が存在する。
【００１１】
前面基板４１は、ガラス基板４２と、表示電極４３と、電極母線４６と、誘電体層４７と、保護膜４８とにより構成されている。透明な電極である表示電極４３は、Ｔ字形状をした走査電極４５と、Ｔ字形状をした維持電極４４とが対を成した構成とされている。ガラス基板４２上には、このような構成とされた複数の表示電極４３が形成されている。維持電極４４及び走査電極４５には、水平方向に延伸する電極母線４６がそれぞれ形成されている。電極母線４６は、抵抗値を下げるためのものであり、一般的に低抵抗な金属材料が用いられる。
【００１２】
背面基板３１と前面基板４１とが貼り合わされた状態において、背面基板３１と前面基板４１との間には、放電空間が形成されており、この放電空間には、希ガス又は希ガスの混合ガスからなるガスが封入されている。
【００１３】
ＰＤＰ３０についてもＰＤＰ１０と同様に、蛍光体３６が発光する発光領域４９間を分離するための非発光領域３９が形成されており、発光領域４９と非発光領域３９とが走査方向に対して、交互に存在するよう構成されている。ＰＤＰ３０に画像を表示させる際には、走査方向に一行ずつ発光領域４９（画素ライン）を発光させることで、画像が表示される（例えば、非特許文献１参照。）。
【００１４】
しかし、このような順次走査方式を用いたＰＤＰ１０，３０では、隣接する放電領域が干渉を防止するための非発光領域２８，３９を設ける必要があるため、近年のディスプレイの高精細化の要求を満たすに十分な輝度及び解像度を得ることができなかった。そこで、十分な輝度及び解像度を得ることを目的としたＰＤＰとして、非発光領域を有していないインタレース走査方式を採用したＰＤＰ５０がある。
【００１５】
次に、図４を参照して、インタレース走査方式を適用した従来のＰＤＰ５０について説明する。図４は、インタレース走査方式を適用した従来技術のＰＤＰの平面図である。なお、図４において、Ｙ，Ｙ方向は、走査方向（アドレス電極５７の延伸方向）を示しており、Ｘ，Ｘ方向は、走査方向に対して直交する水平方向（表示電極５３−１〜５３−５の延伸方向）を示している。
【００１６】
ＰＤＰ５０は、走査方向に延伸するアドレス電極５７と直交する水平方向に幅広の表示電極５３−１〜５３−５が設けられており、表示電極５３−１〜５３−５を２分割するよう水平方向に延伸する電極母線５４が配設されている。透明な電極である表示電極５３−１〜５３−５は、走査電極と維持電極との両方の機能を有する電極である。電極母線５４は、抵抗値を下げるためのものであり、一般的に低抵抗な金属材料が用いられる。このようなＰＤＰ５０は、非発光領域のない（但し、電極母線５４が設けられた部分は除く）構成とされている。このような構成とすることで、ＰＤＰ５０は、順次走査方式を用いたＰＤＰ１０，３０と比較して、駆動回路を削減でき、輝度及び解像度を向上させることができる。
【００１７】
次に、図４を参照して、具体例を挙げてＰＤＰ５０の画像の表示方法（インタレース走査方式）について説明する。画像を表示させる際には、１回目の走査により、表示電極５３−１と表示電極５３−２との間と、表示電極５３−３と表示電極５３−４との間での放電を行って、発光領域５６−１，５６−３を発光させる。続いて、２回目の走査により、表示電極５３−２と表示電極５３−３との間と、表示電極５３−４と表示電極５３−５との間での放電を行って、発光領域５６−２，５６−４を発光させる。このように、ＰＤＰ５０は、２回の走査により画像を表示させる。
【００１８】
ＰＤＰ５０は、先に説明したＰＤＰ１０，３０のように走査電極と維持電極とを別個に設けておらず、１つの表示電極を走査電極又は維持電極として交互に切り換えて使用する。そのため、ＰＤＰ５０は、その構成上、発光領域５６−１〜５６−４を１回の走査で発光させる順次走査方式を適用することができないため、２回の走査で画像を表示するインタレース走査方式を採用している（例えば、非特許文献１参照。）。
【非特許文献１】村上宏、篠田傳、和邇浩一、「大画面壁掛けテレビ−プラズマディスプレイ−」、株式会社コロナ社（編者：社団法人  映像メディア学会）、ｐ１４０―ｐ１４５、ｐ１２７―ｐ１２９（初版  ２００２年５月１０日）
【発明の開示】
【発明が解決しようとする課題】
【００１９】
しかしながら、ＰＤＰ５０は、奇数段目の走査と偶数段目の走査との２回の走査（飛び越し走査）により画像を表示するため、インターラインフリッカーやペアリング等の画質妨害が生じるという問題や、さらなる輝度の向上が困難であるという問題があった。
【００２０】
そこで本発明は、上述した問題点に鑑みなされたものであり、画質妨害を防止することができ、かつパネルの輝度を向上させることのできるプラズマディスプレイパネルを提供することを目的とする。
【課題を解決するための手段】
【００２１】
上記課題を解決するために本発明では、次に述べる各手段を講じたことを特徴とするものである。
【００２２】
請求項１記載の発明では、第１の表示電極が形成された電極形成部分と、前記第１の表示電極が形成されていない電極非形成領域部分とを有する前面基板と、前記前面基板に対向し、第１のアドレス電極を有する背面基板とを備えたプラズマディスプレイパネルにおいて、前記前面基板と背面基板との間に、前記前面基板と対向する面に形成された第２のアドレス電極と、前記背面基板と対向する面に第２の表示電極が形成された電極形成領域部分と、前記第２の表示電極が形成されていない電極非形成領域部分とを有する中間基板を設け、前記前面基板の電極形成領域部分と該電極形成領域部分と対向する中間基板との間に第１の放電空間と、前記中間基板の電極形成領域部分と該電極形成領域部分と対向する背面基板との間に第２の放電空間とを形成すると共に、前記前面基板の電極形成領域部分は前記中間基板の電極非形成領域部分に相対させ、前記中間基板の電極非形成領域部分は前記前面基板の電極形成領域部分に相対させたことを特徴とするプラズマディスプレイパネルにより、解決できる。
【００２３】
上記発明によれば、第１の表示電極が形成されていない電極非形成領域部分と対向する第２の表示電極を中間基板に設け、前面基板と中間基板との間に第１の放電空間と、中間基板と背面基板との間に第２の放電空間とを形成し、第１及び第２の放電空間をそれぞれ順次走査方式により同時に放電、発光させることで、画質妨害を防止して、パネルの輝度を向上させることができる。
【００２４】
請求項２記載の発明では、前記第１の表示電極及び第２の表示電極は、それぞれ走査電極と維持電極とを有し、画素ラインの走査方向と直交する方向に延伸された複数の電極であり、前記第１及び第２のアドレス電極は、前記画素ラインの走査方向に延伸された複数の帯状の電極であって、前記前面板における電極形成領域部分と電極非形成領域部分とを前記画素ラインの走査方向に交互に設けたことを特徴とする請求項１に記載のプラズマディスプレイパネルにより、解決できる。
【００２５】
上記発明によれば、帯状の第１及び第２の表示電極を用いて、前面基板と中間基板との間に第１の放電空間と、中間基板と背面基板との間に第２の放電空間とを形成して、第１及び第２の放電空間をそれぞれ順次走査方式により同時に放電、発光させることで、画質妨害を防止して、パネルの輝度を向上させることができる。
【００２６】
請求項３記載の発明では、前記第１及び第２の表示電極は、それぞれ走査電極と維持電極とを有し、前記画素ライン上に島状に形成された電極であり、前記第１及び第２のアドレス電極は、前記画素ラインの走査方向に延伸された複数の帯状の電極であって、前記前面板における電極形成領域部分と電極非形成領域部分とを前記画素ラインの走査方向と直交する方向に交互に設けたことを特徴とする請求項１に記載のプラズマディスプレイパネルにより、解決できる。
【００２７】
上記発明によれば、島状の第１及び第２の表示電極を用いて、前面基板と中間基板との間に第１の放電空間と、中間基板と背面基板との間に第２の放電空間とを形成して、第１及び第２の放電空間をそれぞれ順次走査方式により同時に放電、発光させることで、画質妨害を防止して、パネルの輝度を向上させることができる。
【００２８】
請求項４記載の発明では、前記プラズマディスプレイパネルは画像が表示される表示面を有しており、前記前面基板の第１の表示電極の引き出し線、及び前記中間基板の第２の表示電極の引き出し線は、前記表示面の前記画素ラインの走査ラインと直交する方向の相異なる方向から引き出され、前記背面基板の第１のアドレス電極の引き出し線、及び前記中間基板の第２のアドレス電極の引き出し線は、前記表示面の前記画素ラインの走査方向の相異なる方向から引き出されていることを特徴とする請求項１乃至３のいずれか１項に記載のプラズマディスプレイパネルにより、解決できる。
【００２９】
上記発明によれば、第１の表示電極、第２の表示電極、第１のアドレス電極、及び第２のアドレス電極のそれぞれの電極に対して個別に電圧を印加することができる。
【００３０】
請求項５記載の発明では、前記プラズマディスプレイパネルは画像が表示される表示面を有しており、前記画素ラインの走査方向と直交する方向において、前記前面基板の長さは前記中間基板の長さより大きく、前記中間基板の長さは前記背面基板の長さより大きく、前記画素ラインの走査方向において、前記背面基板の長さは前記中間基板の長さより大きく、前記中間基板の長さは前記前面基板の長さより大きく、前記前面基板の第１の表示電極の引き出し線と前記中間基板の第２の表示電極の引き出し線は、前記画素ラインの走査方向と直交する走査方向において、それぞれ前記表示面の両側に引き出され、前記背面基板の第１のアドレス電極の引き出し線と前記中間基板の第２のアドレス電極の引き出し線は、前記画素ラインの走査方向において、それぞれ前記表示面の両側に引き出されていることを特徴とする請求項１乃至３のいずれか１項に記載のプラズマディスプレイパネルにより、解決できる。
【００３１】
上記発明によれば、第１の表示電極、第２の表示電極、第１のアドレス電極、及び第２のアドレス電極のそれぞれの電極に対して個別に電圧を印加することができる。
【００３２】
請求項６記載の発明では、前記第１の放電空間におけるアドレス放電と前記第２の放電空間におけるアドレス放電とは、画素ライン単位で同時に行われることを特徴とする請求項１乃至３のいずれか１項に記載のプラズマディスプレイパネルにより、解決できる。
【００３３】
上記発明によれば、第１の放電空間のアドレス放電と、第２の放電空間のアドレス放電とを同時に行うため、従来の非発光領域を有していないインタレース走査方式を用いたプラズマディスプレイパネルのように２回に分けてアドレス放電を行う必要がなく、このような従来のインタレース走査方式を用いたプラズマディスプレイパネルと比較して、アドレス放電を半分の時間で行うことができる。
【００３４】
請求項７記載の発明では、前記第１の放電空間における維持放電のための前記走査電極と維持電極間のパルス電圧と、前記第２の放電空間における維持放電のための前記走査電極と維持電極間のパルス電圧とを異なる駆動波形設定で印加することを特徴とする請求項２または３に記載のプラズマディスプレイにより、解決できる。
【００３５】
上記発明によれば、第１の放電空間における輝度と第２の放電空間における輝度とのバランスを調整することができる。
【００３６】
請求項８記載の発明では、前記第１の放電空間におけるアドレス放電のための前記第２のアドレス電極に印加するパルス電圧と、前記第２の放電空間におけるアドレス放電のための前記第１のアドレス電極に印加するパルス電圧とを、異なる駆動波形設定とすることを特徴とする請求項１乃至３のいずれか１項に記載のプラズマディスプレイパネルにより、解決できる。
【００３７】
上記発明によれば、例えば、第１のアドレス電極の抵抗値と第２のアドレス電極の抵抗値とが異なる場合や、各々の電極上に形成される誘電体層の材料や、膜厚の相違により生じるパルスの振幅の違いが生じても、各々独自に駆動波形設定が可能になり、安定して画像の表示を行うことができる。
【発明の効果】
【００３８】
上述の如く本発明によれば、画質妨害を防止することができ、かつパネルの輝度を向上させることのできるプラズマディスプレイパネルを提供することを目的とする。
【発明を実施するための最良の形態】
【００３９】
次に、図面に基づいて本発明の実施例を説明する。
【００４０】
（第１実施例）
始めに、図５を参照して、本発明の第１実施例によるＰＤＰ７０の概略の構成について説明する。図５は、本発明の第１実施例によるＰＤＰの分解斜視図であり、なお、図５において、Ｙ，Ｙ方向は、画素ラインの走査方向（アドレス電極７７，１０６の延伸方向，以下、「走査方向」という）を示しており、Ｘ，Ｘ方向は、走査方向に対して直交する水平方向（表示電極８７，９７の延伸方向，以下「水平方向」とする）を示している。
【００４１】
ＰＤＰ７０は、大略すると前面基板８５と、背面基板７５と、中間基板９５と、駆動制御装置とを備えた構成とされている。駆動制御装置は、ＰＤＰ７０の駆動制御を行うためのものである。前面基板８５は、背面基板７５と対向するように配置されている。中間基板９５は、背面基板７５と前面基板８５との間に配置されている。
【００４２】
前面基板８５は、大略するとガラス基板８６と、第１の表示電極である表示電極８７と、電極母線９１と、誘電体層９２と、保護膜９３とを有した構成とされている。前面基板８５は、表示電極８７が形成される電極形成領域部分Ｈと、表示電極８７が形成されない電極非形成領域部分Ｉとを有しており、走査方向に対して電極形成領域部分Ｈと電極非形成領域部分Ｉとを交互に設けた構成とされている。
【００４３】
ガラス基板８６の中間基板９５と対向する面には、水平方向に延伸する表示電極８７が帯状に設けられている。表示電極８７は、走査電極８８と、維持電極８９とにより構成されている。走査電極８８と維持電極８９とは、水平方向に対して平行となるよう形成されている。この表示電極８７が形成された電極形成領域部分Ｈの両側には、表示電極８７が形成されない電極非形成領域部分Ｉがあり、電極形成領域部分Ｈと電極非形成領域部分Ｉとは走査方向に対して交互に形成された構成とされている。また、電極形成領域部分Ｈの走査方向の幅Ｌ２と電極非形成領域部分Ｉの水平方向の幅Ｌ１とは、その大きさが等しくなるよう構成されている。
【００４４】
このように、電極形成領域部分Ｈと電極非形成領域部分Ｉとを走査方向に対して、交互に形成した構成とすることにより、前面基板８５と中間基板９５との間では順次走査方式を適用して放電を行うことができる。
【００４５】
走査電極８８及び維持電極８９には、それぞれ走査方向に延伸する電極母線９１が形成されている。電極母線９１は、走査電極８８及び維持電極８９の抵抗値を下げるためのものである。誘電体層９２は、前面基板８５の電極母線９１及び表示電極８７が形成された面を覆うように形成されている。誘電体層９２上には、保護膜９３が形成されている。誘電体層９２及び保護膜９３を形成する際の材料には、可視発光領域の透過性の高い材料を用いる。なお、誘電体層９２及び保護膜９３は、表示電極８７及び電極母線９１のみを覆うように設けても良い。
【００４６】
背面基板７５は、ガラス基板７６と、第１のアドレス電極であるアドレス電極７７と、誘電体層７８と、隔壁７９と、蛍光体８１とを有した構成とされている。ガラス基板７６の中間基板９５と対向する面には、走査方向に延伸する複数のアドレス電極７７が形成されている。誘電体層７８は、アドレス電極７７を覆うようガラス基板７６に形成されている。誘電体層７８は、アドレス電極７７を保護するためのものである。
【００４７】
誘電体層７８には、複数のアドレス電極７７を１ライン毎に分離するための隔壁７９が、走査方向に延伸するよう複数設けられている。蛍光体８１は、少なくとも電極非形成領域部分Ｉと対向する誘電体層７８上と隔壁７９の側壁上とに亘って形成されている。なお、蛍光体８１は、従来のＰＤＰ１０の蛍光体１６のように設けても良い。
この蛍光体８１には、例えば、水平方向に対して赤色用の蛍光体、緑色用の蛍光体、青色用の蛍光体の順に配設することで、カラー画像を表示することができる。なお、背面基板７５には、後述する放電空間８２内の不要なガスの排気、及び放電発光させる際に必要な封入ガスを封入するための貫通穴が少なくとも１つ以上形成されている。
【００４８】
中間基板９５は、大略するとガラス基板９６と、第２の表示電極である表示電極９７と、誘電体層１０２と、保護膜１０３と、第２のアドレス電極であるアドレス電極１０６と、誘電体層１０７と、隔壁１０８と、蛍光体１０９とを有した構成とされている。
【００４９】
ガラス基板９６の背面基板７５と対向する面のうち、電極非形成領域部分Ｉと対向する部分には、水平方向に延伸する表示電極９７が帯状に配設されている。表示電極９７は、走査電極９８と維持電極９９とにより構成されている。走査電極９８と維持電極９９とは、走査方向に平行となるよう設けられている。また、中間基板９５は、電極形成領域部分Ｈと対向する部分に、表示電極９７が形成されていない電極非形成領域部分Ｊを有した構成とされている。
【００５０】
このように、表示電極９７と電極非形成領域部分Ｊとを走査方向に対して交互に形成した構成とすることにより、中間基板９５と背面基板７５との間では、順次走査方式を適用して放電を行うことができる。
【００５１】
走査電極９８及び維持電極９９には、走査方向に延伸する電極母線１０１が形成されている。電極母線１０１は、表示電極９８及び維持電極９９の抵抗値を下げるためのものである。
【００５２】
誘電体層１０２は、中間基板９５の電極母線１０１及び表示電極９７が形成された面を覆うように形成されている。誘電体層１０２上には、保護膜１０３が形成されている。これら、誘電体層１０２及び保護膜１０３を形成する際の材料は、可視発光領域の透過性の高い材料を用いる。なお、誘電体層１０２及び保護膜１０３は、表示電極９７及び電極母線１０１のみを覆うように設けても良い。
【００５３】
前面基板８５と対向するガラス基板９６の面には、走査方向に延伸する複数のアドレス電極１０６が設けられている。このアドレス電極１０６には、ＩＴＯ等の透明電極材料、又はＡｇ等の金属電極材料を用いることができる。また、Ａｇ等の金属電極材料を用いる場合には、アドレス電極１０６の水平方向の幅Ｌ３の大きさを隔壁１０８間の幅Ｌ４の大きさの半分以下となるように形成すると良い。
【００５４】
誘電体層１０７は、アドレス電極１０６を覆うようガラス基板９６に形成されている。誘電体層１０７は、アドレス電極１０６を保護するためのものであり、誘電体層１０７には、透明性の高い材料を用いる。誘電体層１０７上には、複数のアドレス電極１０６を１ライン毎に分離するための隔壁１０８が、走査方向に延伸するよう複数設けられている。
【００５５】
蛍光体１０９は、電極形成領域部分Ｈと対向する誘電体層１０７上と隔壁１０８の側壁とに亘って形成されている。この蛍光体１０９は、例えば、水平方向に対して赤色用の蛍光体、緑色用の蛍光体、青色用の蛍光体の順に配設することで、カラー画像を表示することができる。
【００５６】
なお、中間基板９５には、後述する放電空間１１１内の不要なガスの排気、及び放電発光させる際に必要な封入ガスを封入するための貫通穴が少なくとも１つ以上形成されている。これにより、放電空間１１１と背面基板７５に設けられた貫通穴との間をガスが移動可能とすることができ、ＰＤＰ７０の外部に製造時に発生した不要なガスを排気することができる。
【００５７】
図６は、図５に示したＰＤＰを貼り合わせてＣ視した図であり、図７は、図５に示したＰＤＰを貼り合わせてＤ視した図である。図６乃至図７に示すように、上記構成とされた背面基板７５、前面基板８５、及び中間基板９５は、フリット材により接着固定される。
【００５８】
これにより、蛍光体１０９と保護膜９３との間には、第１の放電空間である放電空間１１１が形成され、蛍光体８１と保護膜１０３との間には、第２の放電空間である放電空間８２が形成される。その後、上記２つの貫通穴を利用して、製造工程において発生した不要なガスを放電空間８２，１１１からＰＤＰ７０の外部へ排気する。その後、２つの貫通穴を介して、放電する際に必要な希ガス又は希ガスの混合ガスである封入ガスを放電空間８２，１１１に封入させる。
【００５９】
このような構成とすることにより、前面基板８５と中間基板９５との間に形成された放電空間１１１と、中間基板９５と背面基板７５との間に形成された放電空間８２とをそれぞれ順次走査方式により同時に放電、発光させて、インタレース走査方式で発生するような画質妨害を防止して、表示される画像の輝度（パネルの輝度）を向上させることができる。
【００６０】
次に、表示電極８７，９７及びアドレス電極７７，１０６に電圧を印加する際に必要な引き出し線について説明する。図８乃至図９は、表示電極及びアドレス電極に形成された引き出し線の配設位置について説明するための図であり、画像を表示する表示面側から平面視した図である。表示面１３０は、画像が表示される領域を示している。なお、図８及び図９には図示していないが、実際に画像が表示可能な領域は、表示面１３０の周辺部に設けられるフリット止め部分を除いた領域である。
【００６１】
図８に示したＰＤＰ７０は、表示電極８７と接続された表示電極用引き出し線１２１（第１の表示電極の引き出し線）を表示面１３０の左側に配置させ、表示電極９７と接続された表示電極用引き出し線１２２（第２の表示電極の引き出し線）を表示面１３０の右側に配置させ、アドレス電極１０６と接続されたアドレス電極用引き出し線１２３（第２のアドレス電極の引き出し線）を表示面１３０の下側に配置させ、アドレス電極７７と接続されたアドレス電極用引き出し線１２４（第１のアドレス電極の引き出し線）を表示面１３０の上側に配置させた構成とされている。
【００６２】
表示電極用引き出し線１２１は前面基板８５の裏面、表示電極用引き出し線１２２は中間基板９５の裏面、アドレス電極用引き出し線１２３は中間基板９５の表面（表示面側）、アドレス電極用引き出し線１２４は背面基板７５の表面（表示面側）にそれぞれ形成されている。
【００６３】
このような構成とすることで、上記４つの引き出し線（表示電極用引き出し線１２１，１２２及びアドレス電極用引き出し線１２３，１２４）の配設位置が重複することがないため、４つの引き出し線のそれぞれに対して任意の電圧を印加することができる。これにより、上記４つの引き出し線を介して、アドレス電極７７，１０６及び表示電極８７，９７のそれぞれの電極に対して、所定の電圧をパルス状に印加して、４つの電極（アドレス電極７７，１０６及び表示電極８７，９７）を別々に駆動制御装置により制御することができる。
【００６４】
なお、前面基板８５、中間基板９５、及び背面基板７５のそれぞれの外形の大きさは、上記構成（図８に示した構成）となるよう適宜選択される。また、走査方向に対する表示面１３０の一方の側にのみ、表示電極用引き出し線１２１，１２２を設け、走査方向の表示面１３０の上下のいずれか一方の側にのみ、アドレス電極用引き出し線１２３，１２４を設けた構成としても良い。
【００６５】
また、図９に示すように、表示電極９７と接続された表示電極用引き出し線１２１（第１の表示電極用引き出し線）と、表示電極８７と接続された表示電極用引き出し線１２２（第２の表示電極用引き出し線）とをそれぞれ表示面１３０の水平方向の両側に交互に引き出して配置させ、アドレス電極１０６と接続されたアドレス電極用引き出し線１２３（第２のアドレス電極用引き出し線）と、アドレス電極７７と接続されたアドレス電極用引き出し線１２４（第１のアドレス電極用引き出し線）とをそれぞれ表示面１３０の走査方向の両側に交互に引き出して配置させた構成としても良い。
【００６６】
この場合は、水平方向において、前面基板８５の長さは中間基板９５の長さより大きく、中間基板９５の長さは背面基板７５の長さより大きく、走査方向において、背面基板７５の長さは中間基板９５の長さより大きく、中間基板９５の長さは前面基板８５の長さより大きく形成されている。また、表示電極用引き出し線１２１は前面基板８５の裏面、表示電極用引き出し線１２２は中間基板９５の裏面、アドレス電極用引き出し線１２３は中間基板９５の表面（表示面１３０側）、アドレス電極用引き出し線１２４は背面基板７５の表面（表示面１３０側）にそれぞれ形成されている。
【００６７】
上記説明したＰＤＰ７０は、従来技術のＰＤＰ１０，３０，５０を製造する際に使用される材料及び製造方法を用いて、同様な手法により製造することができる。例えば、透明電極材料である表示電極８７，９７は、ＩＴＯやＳｎＯ２等の材料を用い、例えばスパッタリング法により成膜し、その後、フォトエッチング法によりパターニングして形成することができる。ＰＤＰ７０の他の構成要素についても、（株）電子ジャーナルの発行による「２００３ＦＤＰテクノロジー大全」（電子ジャーナル別冊）の第２部ＰＤＰ、及び第３編ＰＤＰ製造技術に記載された内容に基づいて、製造することができる。
【００６８】
本実施例のＰＤＰ７０は、従来技術であるＰＤＰ１０，３０，５０と同様に、フィールドと呼ばれる表示動作の一単位を繰り返し行うことによって、画像表示を行っている。１つのフィールドは、複数のサブフィールドから構成されている。このサブフィールドは、リセット期間と、アドレス放電期間と、維持放電期間とより構成されている。
【００６９】
次に、図１０乃至図１２を参照して、サブフィールドにおける本実施例のＰＤＰ７０の駆動方法について一例を挙げて説明する。図１０は、ＰＤＰの駆動波形を示した図である。図１１は、前面基板と中間基板とを重ね合わせた平面図であり、図１２は、中間基板と背面基板とを重ね合わせた平面図である。なお、図１０において、（ａ）はアドレス電極１０６のパルス電圧の波形、（ｂ）はアドレス電極７７のパルス電圧の波形、（ｃ）は維持電極８９ｎ，８９ｎ＋２のパルス電圧の波形、（ｄ）は維持電極９９ｎ＋１，９９ｎ＋３のパルス電圧の波形、（ｅ）は走査電極８８ｎのパルス電圧の波形、（ｆ）は走査電極９８ｎ＋１のパルス電圧の波形、（ｇ）走査電極８８ｎ＋２のパルス電圧の波形、（ｈ）走査電極９８ｎ＋３のパルス電圧の波形をそれぞれ示している。なお、ｎは、ｎ＝０，１，２，３・・・・と順次増加する数である。
【００７０】
リセット期間では、放電空間８２，１１１のリセット放電が行われ、それぞれの画素に対応した誘電体層９２，１０２に蓄積される電荷の状態が均一にされる。
【００７１】
アドレス放電期間では、順次走査方式のＰＤＰ１０，３０で行われるアドレス放電が放電空間８２と放電空間１１１とにおいて同時に行われる。具体的には、アドレス電極１０６に電圧を印加して、ｎ行目走査ライン１１５に対応したアドレスパルス電圧１４１と、（ｎ＋２）行目走査ライン１１７に対応したアドレスパルス電圧１４２とを発生させると共に、走査電極８８ｎ，８８ｎ＋２とに対してもそれぞれパルス状の電圧を印加して、前面基板８５と中間基板９５との間に設けられた放電空間１１１のアドレス放電を行う。
【００７２】
この際、アドレス電極７７にも同時にパルス状に電圧を印加して、アドレスパルス電圧１４１と同じタイミングで（ｎ＋１）行目走査ライン１１６に対応したアドレスパルス電圧１４３を発生させ、アドレスパルス電圧１４２と同じタイミングで（ｎ＋３）行目走査ライン１１８に対応したアドレスパルス電圧１４４を発生させると共に、走査電極９８ｎ＋１，９８ｎ＋３とに対してもそれぞれパルス状の電圧を印加して、中間基板９５と背面基板７５との間に設けられた放電空間８２のアドレス放電を行う。
【００７３】
先に説明したように、表示電極８７ｎ，８７ｎ＋２、表示電極９７ｎ＋１，９７ｎ＋３、及びアドレス電極７７，１０６が別々にパルス状の電圧を印加可能な構成とされているため、上記のように、放電空間１１１のアドレス放電と、放電空間８２のアドレス放電とを同時に行うことができる。これにより、従来の非発光領域を有していないインタレース走査方式を用いたＰＤＰ５０のように２回に分けてアドレス放電を行う必要がなく、従来のＰＤＰ５０と比較して半分の時間でアドレス放電を行うことができる。これにより、余剰となったアドレス放電期間を維持放電に割りあてることが可能になり、パネルの輝度を向上できる。
【００７４】
続いて、維持放電期間では、走査電極８８ｎ，８８ｎ＋２，９８ｎ＋１，９８ｎ＋３及び維持電極８９ｎ，８９ｎ＋２，９９ｎ＋１，９９ｎ＋３のそれぞれに対してパルス状の電圧を印加する。これにより、アドレス放電が行われた放電空間８２，１１１の維持放電を一度で行い、放電により発生した紫外線により蛍光体８１，１０９が可視発光して画像を表示する。
【００７５】
この際、例えば、中間基板９５が可視光の透過率を低下させるような材料により構成されていた場合に、表示電極８７ｎ，８７ｎ＋２に印加するパルス電圧の駆動波形設定と、表示電極９７ｎ＋１，９７ｎ＋３と印加するパルス電圧の駆動波形設定とを異ならせて、放電空間８２における輝度と放電空間１１１における輝度とを調整して、表示される画像の輝度を均一にすることができる。なお、表示電極８７ｎ，８７ｎ＋２に印加するパルス電圧の駆動波形の設定と、表示電極９７ｎ＋１，９７ｎ＋３に印加するパルス電圧の駆動波形の設定とを異ならせるとは、具体的には、パルス電圧の振幅、パルス電圧の周期、つまりはパルス電圧の繰り返し周波数を変える事や、その他、印加パルス数を変更することである。
【００７６】
また、第１のアドレス電極７７に印加するパルス電圧の駆動波形設定（例えば、振幅）と、第２のアドレス電極１０６に印加するパルス電圧の駆動波形設定（例えば、振幅）とを異ならせることにより、例えば、第１のアドレス電極７７の抵抗値と第２のアドレス電極１０６の抵抗値とが異なる場合や、各々の電極上に形成される誘電体層７８，９２，１０２，１０７の材料や、膜厚の相違により生じるパルス電圧の振幅の違いが生じても、各々独自に振幅設定が可能になり、安定して画像表示を行うことができる。
【００７７】
以上説明したようにＰＤＰ７０を構成とすることにより、前面基板８５と中間基板９５との間に形成された放電空間１１１と、中間基板９５と背面基板７５との間に形成された放電空間８２とをそれぞれ順次走査方式により、同時に放電、発光させて、画質妨害を防止すると共に、表示される画像の輝度を向上させることができ、かつ安定してＰＤＰ７０を駆動させることができる。
【００７８】
なお、中間基板９５において、蛍光体１０９の走査方向にも隔壁を設けて、格子状に隔壁を構成しても良い。この場合、走査方向に設けた隔壁上に対応するよう電極母線９１を設けることができる。また、表示電極８７及び電極母線９１のみを覆うように誘電体層９２及び保護膜９３を設け、表示電極８７及び電極母線９１のみを覆うように誘電体層９２及び保護膜９３を設けた構成としても良い。さらに、白黒の画像を表示する際は、上記実施例のＰＤＰのように蛍光体を設ける必要はない。
【００７９】
（第２実施例）
第２実施例のＰＤＰは、第１実施例のＰＤＰ７０の変形例である。したがって、先の第１実施例のＰＤＰ７０と構成の異なる部分について説明する。
【００８０】
図１３は、第２実施例の前面基板に設けられた表示電極と中間基板に設けられた蛍光体との位置関係を説明するための図である。また、図１４は、第２実施例の中間基板に設けられた表示電極と背面基板に設けられた蛍光体との位置関係を説明するための図である。なお、図１３において、図１１に示した構造体と同一構成部分には同一符号を付し、図１４において、図１２に示した構造体と同一構成部分には同一符号を付す。
【００８１】
図１３乃図１４に示すように、前面基板には、走査方向において、第１の表示電極である表示電極１５０が形成される電極非形成領域部分１６０と、表示電極１５０が形成されない電極非形成領域部分１６１を交互に配置させ、電極非形成領域部分１６１と対向する中間基板の電極形成領域部分１８０にのみ第２の表示電極である表示電極１５５を設ける。電極非形成領域部分１８１は、表示電極１５５が形成されない部分である。
【００８２】
表示電極１５０，１５５は、画素ライン上に島状に形成された電極である。表示電極１５０は、走査電極１５１と維持電極１５２とから構成されており、表示電極１５５は、走査電極１５６と維持電極１５７とから構成されている。また、蛍光体１０９は、表示電極１５０と対向するよう設けられており、蛍光体８１は、表示電極１５５と対向するよう設けられている。
【００８３】
このように、表示電極１５０，１５５を設けることにより、第１実施例に示したＰＤＰ７０と同様に、前面基板と中間基板との間に形成された放電空間８２と、中間基板と背面基板との間に形成された放電空間１１１とをそれぞれ順次走査方式により同時に放電、発光させて、インタレース走査方式で発生するような画質妨害を防止すると共に、表示される画像の輝度を向上させることができる。なお、本実施例のＰＤＰの駆動方法及び製造方法については、第１実施例のＰＤＰ７０と同様な駆動方法及び製造方法を用いることができる。
【００８４】
以上本発明の好ましい実施例について詳述したが、本発明は係る特定の実施例に限定されるものではなく、特許請求の範囲に記載された本発明の要旨の範囲内において、種々の変形、変更が可能である。
【産業上の利用可能性】
【００８５】
本発明は、画質妨害を防止することができ、かつパネルの輝度を向上させることのできるプラズマディスプレイパネルに適用できる。
【図面の簡単な説明】
【００８６】
【図１】順次走査方式を適用した従来技術のＰＤＰの斜視図である。
【図２】図１に示したＰＤＰの平面図である。
【図３】順次走査方式を適用した他の従来技術のＰＤＰの分解斜視図である。
【図４】インタレース走査方式を適用した従来技術のＰＤＰの平面図である。
【図５】本発明の第１実施例によるＰＤＰの分解斜視図である。
【図６】図５に示したＰＤＰを貼り合わせてＣ視した図である。
【図７】図５に示したＰＤＰを貼り合わせてＤ視した図である。
【図８】表示電極及びアドレス電極に設けられた引き出し線について説明するための図（その１）である。
【図９】表示電極及びアドレス電極に設けられた引き出し線について説明するための図（その２）である。
【図１０】ＰＤＰの駆動波形を示した図である。
【図１１】前面基板と中間基板とを重ね合わせた平面図である。
【図１２】中間基板と背面基板とを重ね合わせた平面図である。
【図１３】第２実施例の前面基板に設けられた表示電極と中間基板に設けられた蛍光体との位置関係を説明するための図である。
【図１４】第２実施例の中間基板に設けられた表示電極と背面基板に設けられた蛍光体との位置関係を説明するための図である。
【符号の説明】
【００８７】
１０，３０，５０，７０  ＰＤＰ
１１，３１，７５  背面基板
１２，２１，３２，４２，７６，８６，９６  ガラス基板
１３，３３，５７，７７，１０６  アドレス電極
１４，２５，３４，４７，７８，９２，１０２，１０７  誘電体層
１５，３５，５１，７９，１０８  隔壁
１６，３６，５２，８１，１０９  蛍光体
１７，８２，１１１  放電空間
１９，４１，８５  前面基板
２２，４３，５３−１〜５３−５，８７，８７ｎ，８７ｎ＋２，９７，９７ｎ＋１，９７ｎ＋３，１５０，１５５  表示電極
２２Ａ，４５，８８，８８ｎ，８８ｎ＋２，９８，９８ｎ＋１，９８ｎ＋３，１５１，１５６  走査電極
２２Ｂ，４４，８９，８９ｎ，８９ｎ＋２，９９，９９ｎ＋１，９９ｎ＋３，１５２，１５７  維持電極
２３，４６，５４，９１，１０１  電極母線
２６，４８，９３，１０３  保護膜
２７，４９，５６−１〜５６−４  発光領域
２８，３９  非発光領域
３７  非形成領域
７６  ガラス基板
９５  中間基板
１１５  ｎ行目走査ライン
１１６  （ｎ＋１）行目走査ライン
１１７  （ｎ＋２）行目走査ライン
１１８  （ｎ＋３）行目走査ライン
１２１，１２２  表示電極用引き出し線
１２３，１２４  アドレス電極用引き出し線
１３０  表示面
１４１〜１４４  アドレスパルス電圧
１６０，１６１  画素
Ｈ，１６０，１８０  電極形成領域部分
Ｉ，Ｊ，１６１，１８１  電極非形成領域部分
Ｌ１〜Ｌ４  幅
【図１】
2006196288.tif 000003
【図２】
2006196288.tif 000004
【図３】
2006196288.tif 000005
【図４】
2006196288.tif 000006
【図５】
2006196288.tif 000007
【図６】
2006196288.tif 000008
【図７】
2006196288.tif 000009
【図８】
2006196288.tif 000010
【図９】
2006196288.tif 000011
【図１０】
2006196288.tif 000012
【図１１】
2006196288.tif 000013
【図１２】
2006196288.tif 000014
【図１３】
2006196288.tif 000015
【図１４】
2006196288.tif 000016